(57)【要約】【課題】主に各種電子機器の操作に用いられるスイッチ装置及びこれを用いたリモコン送信機に関し、簡易な構成で良好な操作感触のものを提供することを目的とする。【解決手段】操作体１１のベース部１１Ｃに、操作部１１Ａ端部を囲むように略コの字状の厚肉部１１Ｄを形成することによって、この箇所のベース部１１Ｃの揺動操作による撓みや浮きを防止できるため、簡易な構成で良好な操作感触のスイッチ装置及びこれを用いたリモコン送信機を得ることができる。【選択図】図１
2007005197.tif 000002
【特許請求の範囲】
【請求項１】
操作部がシート状のベース部に薄肉のドーム部で連結された操作体と、この操作体の揺動操作に応じて電気的接離を行うスイッチ接点からなり、上記操作体のベース部に、操作部端部を囲むように略コの字状の厚肉部を形成したスイッチ装置。
【請求項２】
操作体の操作部の下面中央に、下方へ突出する凸部を設けた請求項１記載のスイッチ装置。
【請求項３】
請求項１記載のスイッチ装置と、このスイッチ装置のスイッチ接点に接続された制御手段からなり、上記制御手段が上記スイッチ接点の電気的接離に応じて、送信手段からリモコン信号を送信するリモコン送信機。
【発明の詳細な説明】
【技術分野】
【０００１】
本発明は、主に各種電子機器の操作に用いられるスイッチ装置及びこれを用いたリモコン送信機に関するものである。
【背景技術】
【０００２】
近年、映像や音響、空調等の各種電子機器の高機能化や多様化が進むなか、これらを操作するスイッチ装置やリモコン送信機においても、多様でかつ良好な操作感触の得られるものが求められている。
【０００３】
このような従来のスイッチ装置及びこれを用いたリモコン送信機について、図３及び図４を用いて説明する。
【０００４】
図３は従来のリモコン送信機の断面図、図４は同操作体の部分斜視図であり、同図において、１はゴム等の弾性樹脂製の操作体で、この操作体１の左方には、両端が上方へ突出した操作部１Ａが、下面外周に形成された薄肉のドーム部１Ｂによって、シート状のベース部１Ｃに連結されている。
【０００５】
そして、操作体１の右方には、同じくドーム部１Ｂによってベース部１Ｃに連結された、複数の押圧部１Ｄが設けられると共に、これら操作部１Ａや押圧部１Ｄの下面には、カーボン等の可動接点２が形成されている。
【０００６】
また、３は上下面に複数の配線パターン（図示せず）が形成された配線基板で、この配線基板３上面には、操作体１の可動接点２と所定の間隙を空けて対向する複数の固定接点４が、カーボン等によって形成されてスイッチ装置５が構成されている。
【０００７】
さらに、配線基板３下面には、発光ダイオード等の電子部品によってリモコン信号を送信する送信手段６や、マイコン等の制御手段７が形成され、この制御手段７が配線パターンを介して、固定接点４や送信手段６と接続されている。
【０００８】
そして、８は略箱型で絶縁樹脂製のケースで、ケース８上面の貫通孔から操作部１Ａや押圧部１Ｄが上方へ突出すると共に、このケース８が配線基板３上面を覆って、リモコン送信機が構成されている。
【０００９】
以上の構成において、操作体１の操作部１Ａ上面の右または左端を揺動操作すると、この下方のドーム部１Ｂが弾性変形して操作部１Ａが揺動し、下面の右または左側の可動接点２が固定接点４に接触する。
【００１０】
そして、この可動接点２を介した固定接点４の電気的接離に応じて、制御手段７が送信手段６からリモコン信号を電子機器へ送信し、例えば、テレビやビデオ、エアコン等の音量や温度の増減等が行われる。
【００１１】
また、所定の押圧部１Ｄを押圧操作すると、同じくドーム部１Ｂが弾性変形して、下面の可動接点２が固定接点４に接触し、この電気的接離に応じてリモコン信号が送信され、例えば、機器の電源の入／切や選局の切換え等が行われる。
【００１２】
つまり、操作部１Ａの揺動操作や押圧部１Ｄの押圧操作によって、離れた箇所に置かれた機器の、リモコン送信機による様々な遠隔操作が行われるように構成されているものであった。
【００１３】
なお、以上のような操作において、押圧部１Ｄの押圧操作は押圧部１Ｄ全体が下方へ押圧され、下面全周のドーム部１Ｂ全体が弾性変形するため、節度感のある良好な操作感触が得易い構成となっている。
【００１４】
これに対し、操作部１Ａの揺動操作は、操作部１Ａ上面の右または左端を押して、操作体１を揺動操作させているため、下面外周のドーム部１Ｂ全体ではなく、ドーム部１Ｂの右または左側半分のみの弾性変形によって操作が行われるため、押圧部１Ｄの操作に比べ節度感が少なく、やや操作感触の劣るものとなっている。
【００１５】
また、操作部１Ａがシート状のベース部１Ｃの中央部ではなく、図４に示したように端部に形成されている場合、ベース部１Ｃは通常１ｍｍ以下と薄く形成されているため、操作部１Ａの揺動操作に伴って、この外側のベース部１Ｃが撓んだり浮いたりすると、さらに操作感触が劣化する。
【００１６】
このため、操作部１Ａがベース部１Ｃの端部に形成されている場合には、ベース部１Ｃの端部下面を配線基板３上面に貼付したり、ケース８下面に下方へ突出するリブ等を設け、このリブによってベース部１Ｃの端部を配線基板３に押付けたりすることが行われている。
【００１７】
なお、この出願の発明に関連する先行技術文献情報としては、例えば、特許文献１が知られている。
【特許文献１】特開２００５−１００６７４号公報
【発明の開示】
【発明が解決しようとする課題】
【００１８】
しかしながら、上記従来のスイッチ装置やリモコン送信機においては、操作部１Ａの良好な操作感触を得るために、ベース部１Ｃを配線基板３に貼付したり、ケース８下面に設けたリブ等によってベース部１Ｃを配線基板３に押付けたりする必要があり、製作に手間がかかったり、部品の構成が複雑なものになったりしてしまうという課題があった。
【００１９】
本発明は、このような従来の課題を解決するものであり、簡易な構成で良好な操作感触が得られるスイッチ装置及びこれを用いたリモコン送信機を提供することを目的とする。
【課題を解決するための手段】
【００２０】
上記目的を達成するために本発明は、以下の構成を有するものである。
【００２１】
本発明の請求項１に記載の発明は、操作体のベース部に、操作部端部を囲むように略コの字状の厚肉部を形成してスイッチ装置を構成したものであり、略コの字状の厚肉部によって、この箇所のベース部の撓みや浮きを防止できるため、簡易な構成で良好な操作感触のスイッチ装置を得ることができるという作用を有する。
【００２２】
請求項２に記載の発明は、請求項１記載の発明において、操作体の操作部の下面中央に、下方へ突出する凸部を設けたものであり、誤って操作部の上面中央を操作した場合にも、下面の凸部が配線基板上面に当接することによって、下面の左右の可動接点が同時に固定接点に接触する、誤操作を防ぐことができるという作用を有する。
【００２３】
請求項３に記載の発明は、請求項１記載のスイッチ装置のスイッチ接点に制御手段を接続し、制御手段がスイッチ接点の電気的接離に応じて、送信手段からリモコン信号を送信するようにしてリモコン送信機を構成したものであり、簡易な構成で良好な操作感触のリモコン送信機を実現することができるという作用を有する。
【発明の効果】
【００２４】
以上のように本発明によれば、簡易な構成で良好な操作感触のスイッチ装置及びこれを用いたリモコン送信機を実現できるという有利な効果が得られる。
【発明を実施するための最良の形態】
【００２５】
以下、本発明の実施の形態について、図１及び図２を用いて説明する。
【００２６】
なお、背景技術の項で説明した構成と同一構成の部分には同一符号を付して、詳細な説明を簡略化する。
【００２７】
（実施の形態）
図１は本発明の一実施の形態によるリモコン送信機の断面図、図２は同操作体の部分斜視図であり、同図において、１１はゴムやエラストマー等の弾性樹脂製の操作体で、この操作体１１の左方には、両端が上方へ突出した操作部１１Ａが、下面外周に形成された薄肉のドーム部１１Ｂによって、シート状のベース部１１Ｃに連結されている。
【００２８】
そして、このベース部１１Ｃ上面の、操作部１１Ａの左右端部近傍には、ベース部１１Ｃの厚さ０．８ｍｍに対し、１．５ｍｍ前後の厚さの略コの字状の厚肉部１１Ｄが、操作部１１Ａの左右端部を囲むように形成されている。
【００２９】
さらに、操作部１１Ａの下面左右には、カーボン等の可動接点２が形成されると共に、下面中央には下方へ突出する凸部１１Ｅが設けられている。
【００３０】
また、操作体１１の右方には、同じくドーム部１１Ｂによってベース部１１Ｃに連結された、複数の押圧部１１Ｆが設けられると共に、この押圧部１１Ｆ下面にも、カーボン等の可動接点２が形成されている。
【００３１】
そして、３は紙フェノールやガラス入りエポキシ等の配線基板で、上下面に銅箔等によって複数の配線パターン（図示せず）が形成されると共に、上面には操作体１１の可動接点２と所定の間隙を空けて対向する複数の固定接点４が、カーボン等によって形成されてスイッチ装置１５が構成されている。
【００３２】
また、配線基板３下面には、発光ダイオード等の電子部品によってリモコン信号を送信する送信手段６や、マイコン等の制御手段７が形成され、この制御手段７が配線パターンを介して、固定接点４や送信手段６と接続されている。
【００３３】
さらに、８は略箱型でポリスチレンやＡＢＳ等の絶縁樹脂製のケースで、ケース８上面の貫通孔から操作部１１Ａや押圧部１１Ｆが上方へ突出すると共に、このケース８が配線基板３上面を覆って、リモコン送信機が構成されている。
【００３４】
以上の構成において、操作体１１の操作部１１Ａ上面の右または左端を揺動操作すると、この下方のドーム部１１Ｂが弾性変形して操作部１１Ａが揺動し、下面の右または左側の可動接点２が固定接点４に接触する。
【００３５】
そして、この可動接点２を介した固定接点４の電気的接離に応じて、制御手段７が送信手段６からリモコン信号を電子機器へ送信し、例えば、テレビやビデオ、エアコン等の音量や温度の増減等が行われる。
【００３６】
なお、この時、操作体１１のベース部１１Ｃ上面の、操作部１１Ａの左右端部近傍には、図２に示したように、操作部１１Ａの左右端部を囲むように略コの字状の厚肉部１１Ｄが形成され、この箇所のベース部１１Ｃに撓みや浮きが生じないようになっているため、操作部１１Ａ下面外周のドーム部１１Ｂの右または左側半分のみの弾性変形によっても、節度感のある良好な操作感触が得られるように構成されている。
【００３７】
また、この揺動操作時に、操作部１１Ａ上面の右または左端ではなく、誤って操作部１１Ａの上面中央を操作した場合には、操作部１１Ａ全体が下方へ押されるが、この下面中央には下方へ突出する凸部１１Ｅが設けられているため、この凸部１１Ｅが配線基板３上面に当接することによって、左右の可動接点２が同時に固定接点４に接触する、誤操作を防ぐことができるようになっている。
【００３８】
そして、所定の押圧部１１Ｆを押圧操作すると、同じく下面外周のドーム部１１Ｂが弾性変形して、下面の可動接点２が固定接点４に接触し、この電気的接離に応じてリモコン信号が送信され、例えば、機器の電源の入／切や選局の切換え等が行われる。
【００３９】
つまり、操作部１１Ａの揺動操作や押圧部１１Ｆの押圧操作によって、離れた箇所に置かれた機器の、リモコン送信機による様々な遠隔操作が行われるように構成されているが、押圧部１１Ｆ全体が下方へ押圧される押圧操作に加え、操作部１１Ａ上面の右または左端が押される揺動操作においても、略コの字状の厚肉部１１Ｄを設けることによって、節度感のある良好な操作感触が得られるように構成されている。
【００４０】
このように本実施の形態によれば、操作体１１のベース部１１Ｃに、操作部１１Ａ端部を囲むように、略コの字状の厚肉部１１Ｄを形成することによって、この箇所のベース部１１Ｃの揺動操作による撓みや浮きを防止できるため、簡易な構成で良好な操作感触のスイッチ装置及びこれを用いたリモコン送信機を得ることができるものである。
【００４１】
また、操作体１１の操作部１１Ａの下面中央に、下方へ突出する凸部１１Ｅを設けることによって、誤って操作部１１Ａの上面中央を操作した場合にも、下面の凸部１１Ｅが配線基板３上面に当接することによって、下面の左右の可動接点２が同時に固定接点４に接触する、誤操作を防ぐことができる。
【００４２】
なお、以上の説明では、ベース部１１Ｃの端部に操作部１１Ａが形成され、この操作部１１Ａの左右端部を囲むように、ベース部１１Ｃ上面に略コの字状の厚肉部１１Ｄを設けた構成について説明したが、操作部１１Ａがベース部１１Ｃの端部ではなく、中央部に形成された場合にも、厚肉部１１Ｄによって同様の効果を得ることができる。
【００４３】
また、厚肉部１１Ｄを操作部１１Ａの両端部近傍ではなく、右または左端部いずれか一方に設けたり、或いは、右側と左側の厚肉部１１Ｄの大きさや形状を異なるものとしたりすることによって、左右の揺動操作の操作感触を異なるものとすることもできる。
【００４４】
さらに、以上の説明では、操作部１１Ａ下面の可動接点２と配線基板３上面の固定接点４によってスイッチ接点を形成した構成について説明したが、固定接点４上に略ドーム状の導電性金属製の可動接点を載置したものや、操作部１１Ａ下面の配線基板３上に複数のプッシュスイッチを実装したもの等、様々な構成のスイッチ接点においても本発明の実施は可能である。
【産業上の利用可能性】
【００４５】
本発明によるスイッチ装置及びこれを用いたリモコン送信機は、簡易な構成で良好な操作感触のものが得られ、主に各種電子機器の操作用として有用である。
【図面の簡単な説明】
【００４６】
【図１】本発明の一実施の形態によるリモコン送信機の断面図
【図２】同操作体の部分斜視図
【図３】従来のリモコン送信機の断面図
【図４】同操作体の部分斜視図
【符号の説明】
【００４７】
２  可動接点
３  配線基板
４  固定接点
６  送信手段
７  制御手段
８  ケース
１１  操作体
１１Ａ  操作部
１１Ｂ  ドーム部
１１Ｃ  ベース部
１１Ｄ  厚肉部
１１Ｅ  凸部
１１Ｆ  押圧部
１５  スイッチ装置
【図１】
2007005197.tif 000003
【図２】
2007005197.tif 000004
【図３】
2007005197.tif 000005
【図４】
2007005197.tif 000006